(57)【要約】不具合を特定するための、大脳動脈の即時的な閉塞をもたらす親動脈閉塞（ＰＡＯ）装置。該ＰＡＯ装置は、ｅＰＴＦＥ膜で部分的に覆われた自己膨脹型ワイヤフレーム扁長構造を有している。【選択図】  図３
2014523274.tif 000002
【特許請求の範囲】
【請求項１】
近位端及び遠位端により特徴づけられる、親動脈閉塞のための塞栓インプラントであって、該塞栓インプラントは、
長手方向に配列した短いストラットを介してＶ字型部分の開放端で接合して前記ワイヤフレーム構造の中心領域を形成する、複数のＶ字型要素を有する、一対の反対方向のジグザグ部分、及び近位端に方向づけられたＶ字型要素の頂点から膨脹する長手方向に沿って配向される屈曲した複数のストラットを有する、近位端及び遠位端により特徴づけられるワイヤフレーム構造であって、前記短いストラットは、互いに前記ワイヤフレーム構造の中心から離れて、頂点を規定する前記Ｖ字型要素から離れて長手方向に移動し、前記長手方向に沿って配向される屈曲したストラットは、前記塞栓インプラントの近位端でワイヤフレーム構造の斜線中心の近くで互いに結合しており、自己膨張型材料から形成されているワイヤフレーム構造と；
前記塞栓インプラントの近位端に固定された電解離脱ジョイントと；
前記塞栓インプラントの近位端を覆って配置される血液不透過性膜であって、前記ジグザグ部分の少なくとも１つを覆って膨脹している血液不透過性膜と；を有する塞栓インプラント。
【請求項２】
前記ワイヤフレーム構造が、遠位端に方向づけられたＶ字型要素の頂点から膨脹する長手方向に沿って配向される屈曲した第二の複数のストラットを更に有し、前記長手方向に沿って配向される屈曲したストラットは、前記塞栓インプラントの近位端でワイヤフレーム構造の斜線中心の近くで互いに結合している、請求項１記載の塞栓インプラント。
【請求項３】
前記ワイヤフレーム構造が、擬弾性金属合金を更に有する、請求項１記載の塞栓インプラント。
【請求項４】
前記膜が、接着剤を含浸したｅＰＴＦＥを有し、前記膜が前記ワイヤフレーム構造と接着している、請求項１記載の塞栓インプラント。
【請求項５】
前記膜が、接着剤を含浸した２層のｅＰＴＦＥを有し、前記膜が前記ワイヤフレーム構造と接着している、請求項１記載の塞栓インプラント。
【請求項６】
前記ワイヤフレーム構造が、約５ｍｍの直径の全体として膨張した構成、及び約１ｍｍ未満の直径の全体として圧縮した構成を有する、請求項１記載の塞栓インプラント。
【請求項７】
長手方向に配列した短いストラットを介してＶ字型部分の開放端で接合して前記ワイヤフレーム構造の中心領域を形成する、複数のＶ字型要素を有する、一対の反対方向のジグザグ部分、及び近位端に方向づけられたＶ字型要素の頂点から膨脹する長手方向に沿って配向される屈曲した複数のストラットを有する、近位端及び遠位端により特徴づけられるワイヤフレーム構造であって、前記短いストラットは、互いに前記ワイヤフレーム構造の中心から離れて、頂点を規定する前記Ｖ字型要素から離れて長手方向に移動し、前記長手方向に沿って配向される屈曲したストラットは、前記塞栓インプラントの近位端でワイヤフレーム構造の斜線中心の近くで互いに結合しており、自己膨張型材料から形成されているワイヤフレーム構造と；前記塞栓インプラントの近位端に固定された電解離脱ジョイントと；前記塞栓インプラントの近位端を覆って配置される血液不透過性膜であって、前記ジグザグ部分の少なくとも１つを覆って膨脹している血液不透過性膜とを有する、近位端及び遠位端により特徴づけられる前記塞栓インプラント；
患者の血管系を通って親動脈への移動に適応する送達カテーテルであって、該送達カテーテルの遠位端内に塞栓インプラントを収納することにも適応される送達カテーテル；
前記送達カテーテル内にスライド可能なように配置された送達ロッドであって、該送達ロッドは、前記電解離脱ジョイントを介して前記塞栓インプラントに固定された遠位端を有する送達ロッド；並びに
電源から、前記電解離脱ジョイントに電力を供給するためのコンダクターを有する、動脈閉塞のためのシステム。
【請求項８】
前記ワイヤフレーム構造が、遠位端に方向づけられたＶ字型要素の頂点から膨脹する長手方向に沿って配向される屈曲した第二の複数のストラットを更に有し、前記長手方向に沿って配向される屈曲したストラットは、前記塞栓インプラントの近位端でワイヤフレーム構造の斜線中心の近くで互いに結合している、請求項７記載のシステム。
【請求項９】
前記ワイヤフレーム構造が、擬弾性金属合金を更に有する、請求項７記載のシステム。
【請求項１０】
前記膜が、接着剤を含浸したｅＰＴＦＥを有し、前記膜が前記ワイヤフレーム構造と接着している、請求項７記載のシステム。
【請求項１１】
前記膜が、接着剤を含浸した２層のｅＰＴＦＥを有し、前記膜が前記ワイヤフレーム構造と接着している、請求項７記載のシステム。
【請求項１２】
前記ワイヤフレーム構造が、約５ｍｍの直径の全体として膨張した構成、及び約１ｍｍ未満の直径の全体として圧縮した構成を有する、請求項７記載のシステム。
【請求項１３】
前記ワイヤフレーム構造が、約５ｍｍの直径の全体として膨張した構成、及び約０．６ｍｍの直径の全体として圧縮した構成を有する、請求項７記載のシステム。
【請求項１４】
下記工程を含む、患者の脳血管内の障害の治療方法：
請求項１記載の第一の塞栓インプラント及び第二の塞栓プラントを供給する工程；
脳血管内の、前記障害と余分の血流の発生源との間の前記障害から遠い部位に、前記第一の塞栓インプラントを植え付ける工程；
脳血管内の前記障害から近い部位に、前記第二の塞栓インプラントを植え付ける方法。
【発明の詳細な説明】
【技術分野】
【０００１】
以下に説明する本発明は、神経血管系（大脳動脈及び大脳静脈）で使用するための塞栓デバイスに関する。
【背景技術】
【０００２】
以下に説明するデバイスは、大脳動脈及び大脳静脈の障害の治療を意図している。大脳動脈の障害としては、動脈瘤、紡錘状動脈瘤、動静脈奇形、動静脈瘻、海綿状瘻及び解離、並びに他の血管過多病変（ｈｙｐｅｒ−ｖａｓｃｕｌａｒ  ｌｅｓｉｏｎｓ）（頭部及び頸部腫瘍等）が挙げられる。これらの障害は、頭痛から失明、脳卒中、死亡まで、さまざまな症状の原因となる。好ましくは、これらの障害は、脳の部位に血液を自然に供給し続けられるように、関連する親動脈又は静脈を損傷せず元のままにしておく機器及び技術を用いて治療される。これらの技術としては、閉塞ポリマー若しくは閉塞コイルで動脈瘤を閉塞する技術、又は可能な場合にはステント若しくはカバードステントを挿入する技術が挙げられる。しかし、多くのケースでは、この技術が障害のある動脈及び静脈部分、又は障害自体に適合しないか、患者の病状が血流の即時停止を必要とすることを示しているので、この技術は得策でないか、又は不可能である。
【０００３】
親動脈の保存が得策でない場合、他の可能性としては、親動脈閉塞又はＰＡＯがある。親動脈閉塞は、障害の近くの血管の端から端までの部分を、迅速かつしっかりと閉鎖することにより実施され、好ましくは迅速かつ十分な障害への血流の閉鎖、障害の近くで血管部分の永続的な分離をもたらす。親動脈閉塞は、更に広く見れば、動脈及び静脈を両方とも閉塞することを包含する、親血管閉塞と呼ばれる場合がある。一部の血管内デバイス及び技術は、親動脈閉塞を実施するために開発されてきた。これまでは、取り外し可能なバルーンが提案され、親動脈閉塞に使用されてきたが、バルーンから漏出したり、バルーンが収縮したりする場合があり、深刻な塞栓合併症を起こす場合があるので、不成功に終わっていた。（Ｇｉａｎｔ  Ｉｎｔｒａｃｒａｎｉａｌ  Ａｎｅｕｒｙｓｍｓ  ａｔ  ２５７（Ａｗａｄ，Ｉｓｓａｍ  ａｎｄ  Ｂａｒｒｏｗ，Ｄａｎｉｅｌ，ｅｄｓ．，Ｔｈｉｅｍｅ／ＡＡＮＳ  １ｓｔ  ｅｄ．，１９９５））。閉塞コイルは、紡錘状動脈瘤及び海綿状瘻をパックするために用いられてきたが、これは非常に高価であり（多数のコイルを必要とする）、即時に閉塞することができない。したがって、コイルの塊の周囲で患者の血液が凝固する間の数分間に血流がぽたぽた落ち、この血流がコイルの塊から血栓を形成し、血栓を移行させる場合がある。親動脈閉塞を実施するために、血管プラグが使用されてきた。現在入手できるプラグ、例えばＡｍｐｌａｔｚｅｒ血管プラグ等は神経血管系において適応外で使用され、配置することは困難である。Ｒｏｓｓら、Ｔｈｅ  Ｖａｓｃｕｌａｒ  Ｐｌｕｇ：Ａ  ｎｅｗ  Ｄｅｖｉｃｅ  ｆｏｒ  Ｐａｒｅｎｔ  Ａｒｔｅｒｙ  Ｏｃｃｌｕｓｉｏｎ，２８  ＡＪＮＲ  Ａｍ  Ｊ  Ｎｅｕｒｏｒａｄｉｏｌｏｇｙ  ３８５（Ｆｅｂ  ２００７）。また、これらの血管プラグの目の粗いメッシュ構造は、そのメッシュ構造がプラグ上に形成され、閉塞した動脈の下流に塞栓を引き起こすので、血栓を除去する可能性がある。
【先行技術文献】
【非特許文献】
【０００４】
【非特許文献１】Ｇｉａｎｔ  Ｉｎｔｒａｃｒａｎｉａｌ  Ａｎｅｕｒｙｓｍｓ  ａｔ  ２５７（Ａｗａｄ，Ｉｓｓａｍ  ａｎｄ  Ｂａｒｒｏｗ，Ｄａｎｉｅｌ，ｅｄｓ．，Ｔｈｉｅｍｅ／ＡＡＮＳ  １ｓｔ  ｅｄ．，１９９５
【非特許文献２】Ｒｏｓｓら、Ｔｈｅ  Ｖａｓｃｕｌａｒ  Ｐｌｕｇ：Ａ  ｎｅｗ  Ｄｅｖｉｃｅ  ｆｏｒ  Ｐａｒｅｎｔ  Ａｒｔｅｒｙ  Ｏｃｃｌｕｓｉｏｎ，２８  ＡＪＮＲ  Ａｍ  Ｊ  Ｎｅｕｒｏｒａｄｉｏｌｏｇｙ  ３８５（Ｆｅｂ  ２００７）
【発明の概要】
【発明が解決しようとする課題】
【０００５】
以下に説明するデバイス及び方法は、塞栓インプラントを用いる、神経血管の動脈の迅速な塞栓を提供し、これは、大脳動脈内（又は大脳静脈内）で親動脈閉塞デバイスとして用いるのに適している。このデバイスは、動脈瘤内に配置してもよい。塞栓インプラントは、ポリマー膜を覆っている、細長いか球形、又は扁円若しくは長球の、自己膨張型のかご様ワイヤフレーム構造であってもよい。
【課題を解決するための手段】
【０００６】
塞栓デバイスは、戻り止めのような機械的連結手段、電解脱離又は他の適切な脱離手段により、解放可能なように送達カテーテルに結合している。送達カテーテルから解放されると、塞栓デバイスは、周囲の大脳動脈により許される範囲まで自由な形状に膨張する。かご様構造の膨張、及び膜の同時膨張により、大脳動脈の即時閉塞がもたらされる。最近の比較研究では、血流を止めるのに３分かかるＡｍｐｌａｔｚｅｒ（商標）血管プラグに比べ、塞栓インプラントは、約１５秒以内に動脈内の血流を止めることが示された。
【０００７】
更に、これらのデバイスは、術前脈管切除を実施し、閉塞を試験するために用いられる。更に、ストラット及び抑制バンドを包含する塞栓インプラントも開示されている。これらのデバイスは脳血管系内での使用が提案されているが、全身の血管の障害を治療するためにも使用することができる。
【図面の簡単な説明】
【０００８】
【図１】頭蓋内塞栓デバイスの代表的な配置を示す脳の血管系の概要図である。
【図２】ウィリス輪及びウィリス輪を供給する動脈を説明する、脳血管の概要図である。
【図３】膜を部分的に覆う、楕円形で扁長のワイヤフレーム構造を有する塞栓インプラントを示す。
【図４】親動脈閉塞デバイスのいくつかの部分を示す。
【図５】膨張していない状態での、複数の長手方向ストラットを有する塞栓インプラントの側面図を示す。
【図６】２つの端の距離を短縮することによって放射状に膨張した、図５の塞栓インプラントの側面図を示す。
【図７】送達カテーテルの遠位端に解放可能に連結され、更にガイドワイヤに沿ってガイドカテーテルの管腔を通って挿入された、膨張していない図６の塞栓インプラントの側面図を示す。
【図８】送達カテーテルの遠位端に解放可能に連結され、インプラントが放射状に膨張できるように、ガイドワイヤに沿ってガイドカテーテルの遠位端の外に膨脹する、図６の塞栓インプラントの側面図を示す。
【図９】インプラントが送達カテーテルから解放されるように、ガイドワイヤの遠位端がインプラントの近位端に近接するように、ガイドワイヤが引き出された、膨張した図２Ｂの塞栓インプラントを示す。
【図１０】送達カテーテルが、解放された塞栓インプラントから離れて近くに引き出された、図９の塞栓インプラントを示す。
【図１１】解放可能な固定機構を示す、一部破断側面図における、９０℃回転した、図７の塞栓プラントを示す。
【図１２】ガイドワイヤが引き出され、固定機構が塞栓インプラントから解放された、一部破断側面図における、図１１の塞栓インプラントを示す。
【図１３】膜が連結された上に、放射状に膨張可能な複数のストラットを有する、塞栓インプラントの側面図を示す。
【図１４】膨脹可能なストラット上に配置され、連結された、穴のあいた網を有する、塞栓インプラントの側面図を示す。
【図１５】円筒形の近位端に連結され、実質的には何もストラットの遠位端に突出しないような遠位端に一緒に到達する複数のストラットを有する、塞栓インプラントの側面図を示す。
【図１６】ストラットが、どのように遠位端に一緒に到達するかを示す、図８Ａの塞栓インプラントの端面図を示す。
【図１７】送達シースが部分的に格納されており、横断面で示されている送達カテーテルに接続されたままの、膨張した塞栓インプラント（インプラントは、長手方向配置された複数のストラット、又は近位端若しくは遠位端で一緒に接続した棒状物を有し、更にインプラントの近位部を取り囲む、重合性膜を含む）の側面図を示す。
【図１８】送達カテーテルに接続されたままの、膨張した塞栓インプラント（インプラントは、部分的に長手方向ストラットと互いにかみ合い、膜で部分的に覆われている、長手方向に配置された複数のストラットを有する）の側面図を示す。
【図１９】送達カテーテルに連結され、送達シース内に配置され、網を有する、つぶれた塞栓インプラントの側面図を示す。
【図２０】シースが引き出され、直径方向に膨張できるようにむき出しにされた、図１９の塞栓インプラントの側面図を示す。
【図２１】送達カテーテル及びシースから全体として分離した塞栓インプラント（塞栓インプラントは、複数の長手方向ストラットを有し、長手方向ストラットの中心領域に複数の屈曲した部分を更に有する）の側面図を示す。
【図２２】送達カテーテル及びシースから全体として分離した塞栓インプラント（インプラントは、近位の中心領域に長手方向に配置された複数のストラット、遠位中心領域に網を有する）の側面図を示す。
【図２３】各ストラットが３つのストラットに分割され、その分岐点がインプラントの中心領域である、複数の長手方向ストラットを有する、塞栓インプラントの側面図を示す。
【図２４】小さい直径の部分のインプラントの中心領域の近くに接続された２つの球状部を形成するように複数の長手方向ストラットを有する、塞栓インプラントの側面図を示す。
【図２５】インプラントの遠位端に連結された湾曲したストラットによって輪郭だけ形成された、花びら構造を有するように互いにかみ合った、複数の長手方向ストラットを有する、塞栓インプラントの側面図を示す。
【図２６】横方向に配置された棒状物によって中心領域に相互接続された、複数の長手方向ストラットを有する、塞栓インプラントの側面図を示す。
【図２７】インプラントの近位端及び遠位端に中心の編み目構造が接続する、複数の長手方向ストラットを有する、塞栓インプラントの側面図を示す。
【図２８】ねじ状の解放可能な結合によって、送達カテーテルと連結した、塞栓インプラントの一部破断側面図を示す。
【図２９】溶融可能な結合によって、送達カテーテルと連結した、塞栓インプラントの一部破断側面図を示す。
【図３０】加圧により解放される系によって、送達カテーテルと連結した、塞栓インプラントの一部破断側面図を示す。
【図３１】連結器中で真空を適用してその直径を収縮して切り離すことができる、膨張可能な連結器によって、送達カテーテルと連結した、塞栓インプラントの一部破断側面図を示す。
【図３２】インプラントを分離及び配置する押し込みシステムを示す、塞栓インプラントの側面図を示す。
【発明を実施するための形態】
【０００９】
図１及び２は、以下の説明で示す塞栓インプラントの使用を十分詳細に説明するための、脳の血管系を示す。塞栓インプラント１を、典型的な配置で示す。塞栓インプラントは、送達カテーテル２を用いて、この血管障害の部位に送達される。塞栓インプラントの使用の対照とする環境である神経血管系は、首のそれぞれの側の頸動脈及び椎骨動脈を通して脳３に血液を供給する。重要な動脈としては、塞栓インプラントの最も一般的なアクセス経路である首の総頸動脈４、及び目動脈６を供給する内頸動脈５が挙げられる。外頸動脈７は、顎動脈８、中硬薄膜動脈９、及び浅側頭動脈１０（前頭骨）及び１１（頭骨頭頂部）を供給する。椎骨動脈１２は、脳底動脈１３、並びに後大脳動脈１４及び一般に１５で示されるウィリス輪を含む、大脳動脈を供給する。椎骨動脈のサイフォン１２ａは、ウィリス輪への椎骨アプローチにおける頭蓋内血管系内に見られる。また、内頸動脈により、前大脳動脈１６及び中大脳動脈１７だけでなく、ウィリス輪が供給され、後交通動脈１８及び前交通動脈１９も含まれる。内頸動脈５のサイフォン５ａは、ウィリス輪への頸動脈アプローチにおける頭蓋内血管系内に見られる。これらの動脈は、通常は約１ｍｍ〜５ｍｍ、最も一般的には２〜４ｍｍの内径を有する。本明細書に開示される方法及びデバイスは、これらの動脈及びこれらの動脈内のステントの配置にアクセスすることを可能にする。図１では、挿入カテーテル及び塞栓インプラント１は、前大脳動脈１６内に配置された塞栓インプラントを用いて、通常の頸動脈４及び内頸動脈５を通って進む。
【００１０】
図２は、ウィリス輪、及びこの重要な解剖学的特徴を供給する動脈を更に説明する概略図の同一の血管を示す。ウィリス輪１５は、他の大脳動脈１６、中大脳動脈１７及び後大脳動脈１４に内頸動脈及び脳底動脈（それ故、左及び右大脳動脈）をつなぐ動脈の輪である。この系は、非常に豊富な血液を大脳動脈に供給する。この図では、内頸動脈５のなくてはならない部分を形成する頸動脈サイフォン５ａが、より明瞭に見える。ウィリス輪又は脳内のより深い、頸動脈の頭蓋内部分、椎骨動脈（並びにサイフォンの遠位にある、それらの動脈の一部）及び脳底動脈の脳内で発生する動脈瘤、瘻、脳動静脈奇形（ＡＶＭ）及び腫瘍は、以下に説明する塞栓インプラント及び送達システムを用いて治療することができる。図２は、塞栓インプラントにより血管障害２０（このケースでは紡錘状動脈瘤）を治療するために、送達カテーテル２が大動脈を通って内頸動脈に向かう総頸動脈に挿入される、典型的な使用を示す。１つのインプラントは、ウィリス輪由来の逆行血流を遮断するために障害から遠位に配置され、１つのインプラントは、内頸動脈由来の正常血流を遮断するために障害の近くに配置される。この親動脈を犠牲にすることにより、障害は分離されるが、脳のこの部位の神経血管系により、ウィリス輪を通る、豊富な経路が供給されるであろう。しかし、正常な方向の血流の停止する際の遅れにより塞栓インプラントから取り除かれたあらゆる血栓は、下流の動脈の閉塞をもたらす可能性がある。
【００１１】
図３は、患者の神経血管系で使用するのに適した塞栓インプラント、又は親動脈閉塞デバイスを示す。塞栓インプラント２１は、デバイスの長手方向（長軸方向）中心に集中する、輪と一緒に固定されたストラットを有する全体に管状の形状のワイヤフレーム構造である。ワイヤフレーム構造は、部分的に膜で覆われている。ワイヤフレーム構造は、ニチノールチューブをレーザー切断することにより形成される。得られた、ワイヤフレーム構造の部分としては、小さい縦長のストラット２５を通して、Ｖ字型要素の「開放」端で結合したＶ字型要素を有する、第一のジグザグ部分２２及び第二のジグザグ部分２３が挙げられる。これらのストラットは、塞栓インプラントを、小さい直径の形状に圧縮することができるように互いに長手方向に対して斜めであり、ストラット及びジグザグ部分間の接点は、ストラットが長手方向に沿って配置した場合に可能な直径よりも小さい直径に圧縮できる。ストラットは、切断したデバイスからの元のチューブよりも小さい直径に圧縮することができる。各ジグザグ部分は、デバイスの長手方向中心から離れて長手方向に向いている各Ｖ字型要素の頂点２６によって特徴づけられる。Ｖ字型要素の頂点から、末端ストラット２７は、デバイスの長手方向中心から離れて長手方向に膨脹し、デバイスの斜線中心に向かって曲がっている。近位の屈曲したストラットは、直線状のストラット２８の部分に続いている（図４参照）。遠位の屈曲したストラットは、直線上のストラット３７の部分に続いている（図４参照）。長手方向中心から最も離れた末端ストラットの端は、小さいリング２９及び３０内に固定されている。（蛍光透視鏡による誘導下、塞栓インプラントの配置を容易にすることを補助するために、金、白金合金等の放射線不透過物質で製造されている。）デバイスは、デバイスを挿入するために用いられる送達カテーテルに関して定義される近位端３１及び遠位端３２、及びインプラントが、挿入部位に到達するために誘導される経路により特徴づけることができる。近位端では、ワイヤフレーム構造は、電解離脱ジョイント３４を通して、送達ロッド３３と接合されている。送達ロッドの近位端で、電源からの電流を流すことによって電解離脱接合部を加熱し、接合部を破壊する。（低電流を流し、電気化学反応を起こしたときに電解離脱接合部が破壊される。）（また、電解離脱接合部を送達ロッドから離脱する間、塞栓インプラントを維持するために、以下に説明する離脱手段のいずれかを用いることができる。）
【００１２】
図４は、いくつかの部分を説明するために、広がっているように、ワイヤフレーム構造を示す。第一及び第二のジグザグ部分２２及び２３は、小さい中心ストラット２５を通して接続されている。符号３５として示された円周線は、互いに対するストラットの長手方向の移動を説明するために記載されている。ストラット及びＶ字型の頂点は、同じ円周線に沿って配置されていないので、インプラントは、ストラットの接触を妨害することによって制限されることなく圧縮することができる。ジグザグ部分から長手方向に膨脹する屈曲したストラットは、ジグザグ部分３６を解体するために接続されている。これらの部分は、レーザー切断工程の際に形成され、デバイスのいずれかの末端でリングに、屈曲したストラットを集めるのを容易にするために用いられる。屈曲したストラットをリング中に固定した後、これらの部分を取り除き、廃棄する。図４に示すように、中心のジグザグ部分は一緒に結合し、いくつかのダイヤモンド型のセルを形成し、これは、長手方向に向いている頂点及び円周頂点の両方に関する、長手方向に移動する頂点を有する。連結したジグザグ部分は、デバイスの長手方向に沿って０．１８０°に広がっている。屈曲したストラットは０．２３０°に広がっている。
【００１３】
インプラントが送達カテーテルから開放されることによって自己膨張するように、ワイヤフレーム構造は、好ましくは超弾性合金で製造され、体温で超弾性であるように製造されている。ワイヤフレーム構造は、弾性のある金属若しくはポリマー、又は形状記憶合金若しくは形状記憶ポリマーで製造してもよい。ジグザグ部分は、デバイスを圧縮するのに役立つ、明確に規定されたＶ字型要素で説明されている。Ｖ字型要素はＵ字型要素、又は正弦波状に曲がった要素で置換することができ、一緒に結合した屈曲部分、Ｕ字型要素の底部と結合した屈曲したストラットが作られる。
【００１４】
再度、図３に言及すると、塞栓インプラントのワイヤフレーム構造は膜３８で覆われている。膜３８は、図示するように、両方のジグザグ部分を覆って膨脹し、リング３０からインプラントの長手方向中心まで、塞栓インプラントの近位端を覆っている。膜は、ｅＰＴＦＥで製造され、適切な接着剤を用い、ワイヤフレーム構造の金属ストラットと接着している。この膜は、近位接面３９上で血液に対して不浸透性であり、デバイスの中心を覆っている円周面上でも不浸透性であってもよい。しかし、図示するように、インプラント側で血管壁に対して圧縮されるであろう膜の円周面は、穿孔又は「水抜き穴」４０で穴を開けられてもよい。これらの穿孔は、挿入の直前に空気の装置を浄化することを容易にするであろう。水抜き穴は、膜を通過した血液のいくつかの小さな浸出を可能にするのに有益であれば、膜の近位接面に備えてもよい。
【００１５】
図示したように、膜は、ｅＰＴＦＥを接着剤で含浸したような、２枚のｅＰＴＦＥシートの間に挟まれた、Ｂａｃｏｎ  Ａｄｈｅｓｉｖｅ  ４３０又は４３１等の接着剤総を有する２枚の０．０００３インチ（０．００７６２ｍｍ）厚のｅＰＴＦＥシートから製造される。膜の材料は、１枚のシートに接着剤を塗布し、こするか、又は圧迫して接着剤を取り除き、シートの表面の薄い接着剤相を有するシートを湿潤し、ｅＰＴＦＥの穴に接着剤を施すことにより、製造される。次いで、第二のシートを湿潤表面上に置き、次いで、この組立品をこするか圧迫し、組立品を平らにする。得られるものは、接着に対するｅＰＴＦＥの通常の抵抗にかかわらず、ワイヤフレーム構造の金属ストラットに接着することのできるｅＰＴＦＥのシートである完成した膜にある程度の放射線不透過性を与えるために、タンタル粉末を接着剤に混合してもよい。次いで、シートを図示されるように大体円錐形に形成し、円錐形の型の上に広げ、加熱し、次いで型から剥離する。次いで、膜を、膨張したワイヤフレーム構造に接着するか、固定する。膜は、膨張したワイヤフレーム構造の外周に適合するように引き伸ばされ加熱形成される、ｅＰＴＦＥの単層を形成してもよい。
【００１６】
塞栓インプラントは、その中心で５ｍｍの拘束されていない直径であるが、０．０２１インチ（０．５３３４ｍｍ）以下の内径、又は０．０３９インチ（１ｍｍ）（３Ｆ）以下の外径を有する送達カテーテルに適合するように、１ｍｍ未満の直径、好ましくは約０．５ｍｍの直径に圧縮することができるように、開いて十分に膨張するように形成することができる。これは、比較可能なＡｍｐｌａｔｚｅｒ（商標）ＰＡＯデバイスよりもはるかに大きなアクセスを可能にする。膨張した直径で６ｍｍのＡｍｐｌａｔｚｅｒ（商標）は、送達のために十分に圧縮されたときに、０．０５４インチ〜０．０７２インチ（１．３７ｍｍ〜１．８３ｍｍ）の内径を有する５〜６Ｆ（１．７ｍｍ〜２ｍｍ）の送達カテーテルを必要とする。
【００１７】
塞栓インプラントは、その構造中で血栓形成又は空間充填特性を向上させるために、コーティングすることができる。コーティングとしては、インプラント１００に適合し、使用前に乾燥される、親水性ヒドロゲル又は発泡体が挙げられる。血液又は他の液体にさらすことにより、ヒドロゲル又は発泡体は水分を吸収し、容積が増大する。このような容積の膨張は、ヒドロゲル又は発泡体層の厚みを１０倍以上に増大させる。親水性ヒドロゲルは、フィブリン接着剤、プロトロンビン又は他の血液凝固物質を含んでいてもよい。血栓形成（血液凝固）化学物質を、ヒドロゲルを用い、又は用いずに塞栓インプラントに適用することができる。
【００１８】
使用の際、血管外科医（通常は放射線科医）は、送達カテーテルにパックした塞栓インプラントを、障害のある大脳動脈（又は静脈）の部分に挿入する。これは、通常は、外科医が送達カテーテルの挿入前に挿入するガイドカテーテルを通して実施されるであろう。デバイスの位置を確認した後（蛍光透視法により）、外科医は送達カテーテルを引き抜き、塞栓インプラントをむき出しにして解放する。必要であれば、塞栓インプラントは送達カテーテル内に引き戻され、（送達ワイヤを通して）再配置される。塞栓インプラントが適切に配置され、配置されると、外科医は小さい電源を操作し、電源との分離接合部から膨脹するコンダクター（プッシュロッドはコンダクターとしての機能を果たす）を通して電流を供給し、接合部を溶解又は電解分離し、プッシュロッドから塞栓インプラントを引き離す。血管を分離するために１個のインプラントを使用することができ、これにより、余分な血液供給又は逆流にさらされない。内頸動脈等の余分な血液供給にさらされる血管のために、外科医は、逆流を防止するために障害の遠位に第一のインプラントを配置し、順流を防止するために第二のインプラントを配置するであろう。更に、塞栓インプラントは、一時的に血管を閉塞するために使用することができ、インプラントが、カテーテルの端から外に送達され、血管を閉塞するために膨脹する全体のシステムは、薬剤又は他の治療薬送達デバイスとして使用され、その後、薬剤又は治療薬が、塞栓インプラントに対してまさに近くの送達カテーテル、ガイドカテーテル又は追加のカテーテルから送達され、治療薬が、より正確に血管標的に解放することが可能となる。このケースでは、送達ロッドにしっかりと保持されているインプラントは分離しないが、薬剤の送達後に血管系から取り除かれる。
【００１９】
同様に、システムは閉塞を試験するために使用することができる。これは、塞栓デバイスを送達ロッドから分離せずに、外科医が一時的に塞栓デバイスを配置し、脳血管系内の疑わしい部分への血流を閉塞してその部分を試験し、その部分のあらゆる障害が、患者で観察される症状の原因であることを確かにする診断技術である。観察された症状が試験閉塞により改善されるなら、障害の状態、大きさ及び位置に依存し、外科医は疑わしい部分から塞栓インプラントを取り除き、脳血管系から送達カテーテルを引き抜き、コイル、ステント、塞栓デバイス等を用いて障害の治療を開始し、試験を行った血管の開存性を保存する。一方、障害の状態、大きさ及び位置が、その部分を犠牲にして閉塞すべきであるようなら、外科医は、送達ロッドから塞栓インプラントを分離し、その部分を閉塞する。図３及びその他の図の塞栓インプラントは、即時的であるが容易に可逆的な閉塞を提供するので、それは、他に類を見ないほど試験閉塞に適している。このシステムは、脳動静脈奇形（ＡＶＭ）及び腫瘍の外科的手術に付属するものとして、術前脈管切除にも用いることができる。この方法では、脳内のＡＶＭ又は腫瘍を外科的に切除する前に、外科医は、ＡＶＭ又は腫瘍に血液を供給する動脈に１つ以上の塞栓デバイスを埋め込み、ＡＭＶ又は腫瘍から血液が戻る静脈に１つ以上の塞栓デバイスを埋め込むこともでき、その後、観血手術でＡＶＭ又は腫瘍を切除する。この方法を用い、ＡＶＭ又は腫瘍が身体から切除される時の出血は非常に少なくなる。図３及びその他の図の塞栓インプラントは、即時的であるが容易に可逆的な閉塞を提供するので、それは、他に類を見ないほど術前脈管切除に適している。
【００２０】
塞栓インプラントは、種々の実施態様で構成することができる。図５は、近位端１１０、遠位端１０２、複数の長手方向に配向したストラット１０４、及び複数の長手方向に配向したスロットを有する、その第一の小さい直径の膨脹していない状態の塞栓インプラント１００の側面図を示す。複数の長手方向ストラット１０４は、近位帯１１１及び遠位帯１０３に連結され、又は一体化されている。複数の長手方向スロット１０６は、残りの構造が複数のストラット１０４を有するように、インプラント内の穿孔であってもよい。固定機構１０８は、近位端１１０、遠位端１０２又はその両方に、連結され、又は一体化されていてもよい。固定機構１０８は、図示するように、近位端１１０内の穿孔を有していてもよく、又はインプラント１００の中心線から外側又は内側のいずれかに放射状に突出する構造を有していてもよい。固定機構１０８は、円形、長方形（図示したような）、直線状、円周状等のいずれの形態を有していてもよい。
【００２１】
図６は、そのストラット１０４が、第二の拡大した構成に膨脹したインプラント１００の側面図を示す。インプラント１００は、近位帯１１１、遠位帯１０３、複数のストラット１０４、複数のスロット１０６、及びラッチ要素１０８を有する。ストラット１０４は、弓形形状を形成するように膨脹し、次いで後部に湾曲し、ストラットが近位帯１１１及び遠位帯１０３に連結される部位で、インプラント１００の長手方向中心線と並ぶ。４つのストラット１０４及び４つのスロット１０６がある。後ろの方のストラット１０４は、前面のストラットによって隠れている。上部及び底部のストラット１０４は目に見える。ストラット１０４の中心で測定した、膨脹したインプラント１００の直径は約３ｍｍである。ストラット１０４の長さ及びストラット１０４にかかる歪みの量に依存して、程度の差はあるが、膨脹が実現され得る。ストラット１０４の製造に用いられる材料の線形範囲内の歪みの量を維持することが好ましい。スロット１０６は、インプラント１００の構成を膨脹させるために、著しく変形及び拡大する。ストラット１０４及びスロット１０６の数を増やすことにより、大きな膨脹を実現することができる。ストラット１０４の数を増やすことは、ストラット１０４を狭くし、スロット１０６を狭くし、又は両方を狭くすることにより実現することができる。１ｍｍの直径の膨脹していないインプラント１００で、８、１０又はたとえ１２個にさえ増やすことが可能である。ストラット１０４を、末端１１０及び１０２に連結される、小さい直径の円形又は長方形のワイヤで製造すれば、ストラットの数を更に多くすることができる。
【００２２】
図７は、送達カテーテルチューブ２１０上に、ガイドカテーテルチューブ２０４内にスライド移動可能に装着されたインプラント１００の側面図を示す。ガイドカテーテルチューブ２０４は横断面で示す。送達カテーテルチューブ２１０は送達カテーテル２００によって構成されており、カテーテルチューブ２１０の管腔の中を通るガイドワイヤ２０６の上にスライド可能に配置されている。インプラント１００は複数のストラット１０４、遠位端１０２、近位端１１０、及びラッチ機構１０８を有している。送達カテーテル２００は、更に解放可能なロック２０２を有している。
【００２３】
図７及び８を参照すると、カテーテルチューブ２１０は、インプラント１００の中央管腔１１２内でスライド移動可能である。ガイドワイヤ２０６は、カテーテルチューブ２１０の管腔（図示せず）内でスライド移動可能であり、カテーテルチューブ２１０の遠位端を超えて突出している。カテーテルチューブ２１０に連結された固定機構２０２は、インプラント１００の近位端１１０によって構成されている固定機構１０８通って外側に突出している。インプラントストラット１０４は超弾性ニチノール等のばね用金属であり、拘束されない場合には湾曲部又は円弧を形成するように外側に偏っている。しかし、ストラット１０４はガイドカテーテル２０４の壁に拘束されており、それによりインプラント１００が前進する。したがって、ストラット１０４は、第一の低収縮形態又は形状に圧縮されるか、又はつぶされている。
【００２４】
図８は、ガイドカテーテルチューブ２０４の遠位端の外側に広がっているインプラントの側面図を示す。インプラント１００は、ストラット１０４、遠位端１０２、近位端１１０、及びラッチ機構１０８を有している。送達カテーテル２０６は、送達カテーテルチューブ２１０及び固定機構２０２を有している。ガイドワイヤ２０６はカテーテルチューブ２１０の管腔内に配置され、その遠位端の外側に突出している。ストラット１０４は放射状に（外見上はインプラント１００の縦軸に対して）膨脹している。膨脹したストラット１０４は円弧形状を形成するが、形状は、三角形、長方形、台形等であってもよい。ストラットはばねの性質を有し、ガイドカテーテルチューブ２０４の拘束が解除されると弾性的に膨脹する。インプラント１００の近位端１１０は、ラッチ機構１０８とかみ合ったままで、固定機構２０２によってカテーテルチューブ２１０に対して固定されている。インプラント１００の遠位端１０２はカテーテルチューブ２１０の上に近接して長手方向にスライドし、遠位端１０２は近位端１１０に接近するように移動し、ストラット１０４の外側への膨脹を容易にするので、インプラント１００が膨脹していない状態である場合よりもカテーテルチューブ２１０の遠位端から離れている。インプラント１００は、使用者が送達カテーテル２００の近位端からの解放機構を操作するまでは、送達カテーテル２００に連結されたままである。
【００２５】
図９は、インプラント１００、送達カテーテル２００、及びガイドカテーテルチューブ２０４の側面図を示す。送達カテーテル２００は、送達カテーテルチューブ及び固定機構２０２を有している。インプラント１００は、複数のストラット１０４、遠位端１０２、近位端１１０、及び固定機構１０８を有している。ガイドカテーテルチューブ１０４は中央管腔３０２を有している。
【００２６】
図９及び８によれば、ガイドワイヤ２０６は、送達カテーテルチューブ２１０の管腔から取り除かれている。ガイドワイヤの除去は、固定機構２０２を内側に放射状に格納し、インプラント１００の固定機構１０８を解放する。インプラント１００の近位端１１０は、ガイドカテーテルチューブ２０４の管腔３０２内に位置づけられたままである。
【００２７】
図１０は、インプラント１００、送達カテーテル２００、及びガイドカテーテルチューブ２０４の側面図を示す。ガイドカテーテルチューブ２０４は中央管腔３０２を有している。インプラント１００は、遠位端１０２、複数のストラット１０４、近位端１１０、及び固定機構１０８を有している。送達カテーテル２００は、インプラント１００の管腔から近位に引き抜かれ、ガイドカテーテルチューブ２０４から引き抜かれる。送達カテーテル２００のロック２０２が解放された後は、カテーテルチューブ２０１とインプラント１００の間の相対的に長手方向の動きを妨げるものはもはやない。インプラントの近位端１１０は、ガイドカテーテルチューブ２０４の管腔３０２内にとどまっている。しかし、ガイドカテーテルチューブが近位に引き抜かれると、ガイドカテーテルチューブ２０４からインプラント１００を完全に引き離し、塞栓を起こし、血栓症を起こし、血管を閉塞するために、血管内にインプラントを残すであろう。
【００２８】
図１１は、図８のインプラント１００、送達カテーテルチューブ２１０、ガイドカテーテルチューブ２０４及びガイドワイヤ２０６の部分切断側面図を示すが、解放可能なロック２０２及びラッチ機構１０８の動きの側面図を見えるように紙面から９０°回転させた。送達カテーテルチューブ２１０は、更に解放可能なロック２０２、ロックスプリング４０４、及びロックオープン機構４０２を有している。インプラント１００は、更に遠位端１０２、複数のストラット１０４、近位端１１０、放射線不透過性マーカー４１０、及びラッチ機構１０８を有している。ガイドワイヤ２０６は、送達カテーテルチューブ２１０の管腔４０６の中を通って膨脹する。ガイドワイヤ２０６は、カテーテル管腔４０６のかなりの部分を満たし、ロックスプリングが、カテーテルチューブ２０４のラッチオープニング４０４を通って外側に引き出されるように、解放可能なロック２０２を外側に放射状に引き出されるように圧迫する。解放可能なロック２０２は外側に引き出され、インプラント１００のラッチ機構１０８内で係合し、インプラント１００が、カテーテルチューブ２１０に対して近位又は遠位のいずれかに移動するのを防ぐ。インプラント１００は拘束され、送達カテーテルチューブ２１０の全体にスライド移動可能に配置されているので、送達カテーテルチューブ２１０に対し、実質的又は機能的に意味のある量の関係で放射状に移動することができない。ラッチ機構１０８は、インプラント１００の近位端１１０、遠位端１０２、又は近位端及び遠位端の両方に配置することができる。
【００２９】
クロスハッチングを有するカテーテルの壁の断面図を示し、これは、限定されないが、ポリマー環境に埋め込まれたステンレス鋼、チタン、ニチノール等の金属、又はポリエチレンレート（ＰＥＮ）、ＰＥＴ等のポリマーの組紐又はコイル補強材を含んでいてもよい。解放可能なロック２０２は、ロックスプリング４０４の第一の末端に連結されている。片持ち梁ばねとして示されるロックスプリング４０４は、カテーテルチューブ２１０の第二の末端に連結されている。ロックスプリング４０４０は、限定されないが、ニチノール、ステンレス鋼、チタン、コバルトニッケル合金等の金属で製造することができる。また、ロックスプリング４０４は、限定されないが、ＰＥＥＫ、ＰＥＮ、ＰＥＴ、ポリカーボネート等のポリマーで製造することができる。ロックスプリング４０４は、接着剤、留め具、熱溶接、超音波溶接等を用いてカテーテルチューブ２１０に連結することができる。
【００３０】
図１２は、インプラント１００、及び図１１の送達システムの側面図を示すが、ガイドワイヤ２０６が近位に引き抜かれ、インプラント１００の内側から取り外されている。ロックスプリング４０４が拘束されていない位置に戻され、解放可能なロックがインプラント１００のラッチ機構１０８ともはや係合しないように、解放可能なロック２０２がロックオープン機構４０２内の位置に引き出されている。したがって、今では、インプラント１００は送達カテーテルチューブ２１０に沿って長手方向に自由に移動できる。
【００３１】
解放可能なロック２０２は、ガイドワイヤの周囲の中央管腔を同軸上に通って配置されているか、又は別の管腔を通って配置されている別のリンケージ（図示せず）により操作することもできる。リンケージは、解放可能なロック２０２が内側及び外側に放射状に移動できるように、押し込み、引き、又は回転するように構成されていてもよい。回転リンケージは、ロック２０２を内側及び外側に移動するように、ねじジャッキ又はウォームギアを回転させることができる。インプラント１００からカテーテルチューブ１００を固定又は解放するために、電動式アクチュエータ（図示せず）を使用することができる。インプラント１００は、カテーテルにインプラントを運ぶために陽圧又は陰圧のいずれかを供給し、又は解放可能なロック２０２を解放するよう操作可能に形状が決められている流体系によって、カテーテルチューブ２１０から解放することができる。オーム加熱又は抵抗加熱は、インプラント１００とカテーテルチューブ２１０との間で解放するために、形状記憶又は熱反応性材料を移動させるために使用することができる。
【００３２】
図１３は、送達カテーテルチューブ２１０から解放されたインプラント７００の側面図を示すが、依然として断面図に示されるガイドカテーテルチューブ２０４の近位に存在している。インプラント７００は、遠位端１０２、複数のストラット１０４、近位端１１０、カバー７０２，及び近位カバー結合部７０４を有する。カバー７０２は、結合部７０４によって近位端１１０に連結されている。カバー７０２は弾性的でありストラットに対して弾性的にしてもよく、又はそこに連結させてもよい。
【００３３】
図１４は、遠位端１０２、複数のストラット１０４、近位端１１０、カバー７５２、近位カバー結合部５４、及び遠位端カバー結合部７５６を有するインプラント７５０の側面図を示す。インプラント７５０は送達カテーテル２１０から解放され、その近位端は、一部がガイドカテーテルチューブ２０４の遠位端内に存在している。近位端１１０、ストラット１０４、及び遠位端１０２は、図７Ａのインプラント７００と同様である。図に示すように、カバー７５２は、網又は織物を有している。カバー７５２は、限定されないが、肉眼で見える穴又は細穴等を有する織物、組紐、ニット、膜を有していてもよい。カバー７５２は、インプラント７５０の表面の実質的全て又は１００％を取り囲んでいる。近位端１１０は、送達カテーテルチューブ２１０への係合又は固定を促進し、又は容易にするために、カバー７５２の下部から突き出ている。
【００３４】
図１５は、ちょうど送達カテーテル２１０から解放され、まだ断面図で示すガイドカテーテルチューブ２０４に最も近い、膨脹した塞栓インプラント８００の側面図を示す。インプラント８００は、遠位端８０２、複数のストラット１０４、近位端１１０、及び複数の隙間１０６を有する。ストラット１０４は、短円筒形として構成された近位端１１０と一体となっているか、連結されている。複数のストラット１０４は、互いに遠位端８０２に連結されている。ストラットが互いに連結されている場所を超えて、遠位の突出は実質的に存在しない。このインプラントの構造８００は、脳血管内動脈瘤に配置するのに適している。漿果状動脈瘤は、遠位端８０２が動脈瘤内に挿入され、その時点でインプラントが送達カテーテルから解放できるように形成されている。また、ストラット１０４の一体構造は、近位端により構成することができる。
【００３５】
図１６は、遠位端８０２に向かって見た、図８Ａのインプラント８００の図を示す。インプラント８００は、複数のストラット１０４、近位端１１０、遠位端８０２、複数の隙間１０６、及び位置合わせ穴８０４を有する。インプラント８００は、遠位端８０２が脳血管動脈瘤に挿入され、動脈瘤の傷つきやすい組織に外傷を起こすことなく、そこに配置できるように、遠位端８０２内で平坦かつ不鮮明であるように形成されている。位置合わせ穴８０４は、送達カテーテルの管腔内に配置されたリンケージ又は棒状物（図示せず）によって係合していてもよく、インプラント８０の遠位端を近位端１１０から離れて移動し、インプラント８００が長手方向に膨脹し、配置されている間にストラット１０４が放射状につぶれるように、送達カテーテルの近位端での操作のために構成されていてもよい。リンケージ又は棒状物を取り除くと、ストラット１０４は弓状の形状をとり、膨脹することがある。図１１及び１２を参照すると、解放可能な固定機構２０２をインプラント８００のラッチ機構１０８から係合及び解放するために、リンケージ又は棒状物はガイドワイヤ２０６と置換することができる。インプラント８００は、２〜２０個のストランド１０４を有していてもよく、図１３及び１４に示すように、カバー７０２及び７５２を有していてもよい。インプラント８００は、星形のパターンに形成されたストラット１０４で切断し溶接、留め具、接着剤、又は他の固定法により近位端１１０に沿って曲げて固定することによって、平らな金属から構成することができる。
【００３６】
図１７は、複数の長手方向ストラット１０４、近位端１１０、遠位端１０２、固定ウィンドウ１０８及び膜カバー９０２を有する、膨脹した塞栓インプラント９００の側面図を示す。インプラント９００は、更に解放可能なロック２０２を有する、送達カテーテル２１０に解放可能に連結されている。送達カテーテル２１０は、送達カテーテル２１０の中央管腔（図示せず）を通って連結されているガイドワイヤ２０６の上に配置されているが、送達カテーテル２１０は、更にカテーテル管腔３０２を有するガイドカテーテル又はシース２０４を通って挿入される。送達カテーテル２１０は、インプラント９０２の近位端１１０及び遠位端１０２の開放された中央管腔（図示せず）を通って、遠位１０２の遠位に突出するように送られる。ガイドワイヤ２０６は、送達カテーテル２１０の遠位端から突出し、送達カテーテル２１０により構成される中央管腔（図示せず）内に存在している。塞栓インプラント９０は、直径方向に膨脹できるように、誘導シース又はガイドカテーテル２０４の管腔３０２の外側に露出されている。長手方向スラット１０４は、膨脹する前には、通常は圧縮されており、カテーテル２１０に対して軸方向又は長手方向に並んでいる。図示するように、いったん膨脹すると、リブ又はスラット１０４は、近位端１１０及び遠位端１０２の近くで、弓形形状を形成するように偏る。リブ又はスラット１０４の中央部分は、通常は直線状のままであり、長手方向に並んでいる。スラット１０４の近位領域は膜９０２で覆われている。膜９０２はスラット１０４の遠位端を覆い、近位端は覆っていなくてもよい。膜９０２は、近位端及び遠位端の両方を覆っていてもよい。膜９０２は、スラット１０４により構成されるインプラント９００の全領域を覆っていてもよい。膜９０２は、本明細書に開示された材料から製造することができる。
【００３７】
図１８は、直径方向に膨脹し、まだ送達カテーテル２１０に固定されているインプラント９５０の側面図を示す。図９Ａのシース２０４は取り除いてある。塞栓インプラント９５０は、近位端１１０、遠位端１０２、固定ウィンドウ１０８、複数の長手方向に突出した棒状物又はストラット１０４、近位端１１０のみに連結された複数の部分的に長手方向に突出した棒状物又はストラット９０４を有する。塞栓インプラント９５０は、塞栓インプラント９５０の近位端部分を覆っている膜９０２を更に有している。カテーテル２１０は、解放可能なロック２０２、ガイドワイヤ管腔（図示せず）、及びガイドワイヤ２０６を更に有している。不完全なストラット、リブ又はスラット９０４は、実質上インプラント９５０の中心に突出して、インプラント９０５の近位端１１０に連結されているが、それらは遠位端１０２の方向に約１０％〜９０％の任意の範囲に膨脹していてもよい。不完全なストラット９０４は、近位端１１０に連結された不完全なストラット９０４について記載されたのと反対方向に同じだけ突出して遠位端１０２に連結されており、近位端１１０とは連結していない。インプラント９５０は、近位端の上に配置され、実質上不完全なストラット９０４の長さに膨脹していてもよい、膜９０２を有していてもよい。完全長のストラット１０４は、インプラント９５０の全体の直径及び長さにわたり、構造規制している。不完全なストラット９０４は、完全長のストラット１０４の外側に実質的に半径方向の同じ距離に突出していてもよく、又は更に放射状に突出していてもよく、又は完全長のストラット１０４よりも遠くには放射状に突出していなくてもよい。完全長のストラット１０４及び不完全なストラット９０４は、同じ材料から構成されていてもよく、又は異なる材料から構成されていてもよく、又は同じ材料であるが異なる性質を有する材料から構成されていてもよい。
【００３８】
図１９は、放射状につぶれた塞栓インプラント１０００の側面図を示す。インプラント１０００は、近位端１１０、遠位端１０２、固定ウィンドウ１０８、及び網１００２を有する。また、インプラント１０００システムは、更に解放可能なロック２０２を有する送達カテーテル２１０、ガイドワイヤ管腔（図示せず）及びガイドワイヤ２０６を有している。インプラント１０００システムは、更に、断面図で示す送達シース又はガイドカテーテル２０４を有している。網１００２は、ガイドカテーテルの管腔３０２又は送達導入部内で放射状に拘束されている。インプラント１０００の近位端１１０は、近位端１１０内で長方形に開口している固定機構１０８内に係合した送達カテーテル２１０のロック２０２によって送達カテーテル２１０に連結されたままである。ガイドワイヤ２０６は、通常は容器である場所にとどまっているとして示されており、送達カテーテル２１０を、脳血管を通って目的の治療部位に誘導するのを補助するために使用される。
【００３９】
図２０は、放射状に膨脹した後の図１９からの塞栓インプラント１０００の側面図を示す。塞栓インプラント１０００は、網１００２、近位端１１０、遠位端１０２、及び近位ロックウィンドウ１０８を有する。また、塞栓インプラント１０００システムは、シース２０４、更にガイドワイヤ管腔（図示せず）、解放可能なロック２０２、及びガイドワイヤ２０６を有する送達カテーテル２１０を有している。塞栓インプラント１０００の網１００２は、その完全に操作可能な直径まで膨脹している。網１００２は、材料の偏った自己膨脹するばねを有していてもよく、可鍛性のバルーン膨脹性材料、近位端１１０に対して遠位端１０２の軸圧縮により直径方向に膨脹する可鍛性材料を有していてもよく、体温で活性化する形状記憶材料、体温より高いオーム加熱により活性化する形状記憶材料を有していてもよく、超弾性又は擬弾性状態等で存在又は偏移する材料を有していてもよい。網１００２は、円形、長方形、卵形、三角形、又は他の幾何学的断面のワイヤを有していてもよい。膨脹した網１００２は、図１０Ａのつぶれたインプラントの外径の１．１〜１０倍の外径を有していてもよい。シース２０４は、近位端１１０にさらされて格納して示されている。送達カテーテル２１０は、近位端１１０上の固定機構１０８に係合された送達カテーテル２１０に連結されている、解放可能なロック２０２によりインプラント１０００に連結されたままである。ガイドワイヤ２０６は、送達カテーテル２１０の管腔（図示せず）内に配置されたままである。
【００４０】
図２１は、他の実施態様について本明細書に開示されたものと同様の、関連する送達カテーテル又はシースのいずれを欠く、直径方向に膨脹した塞栓インプラント１１０のみの側面図を示す。膨脹した塞栓インプラント１１００は、近位端１１０、遠位端１０２、複数の長手方向に方向づけられた棒状物又は支柱１１０２、固定機構１０８、及び複数の長手方向の棒状物又は支柱１１０２上の湾曲した中心領域を有する。長手方向ストラット１１０２は、近位端１１０及び遠位端１０２に連結されているか、一体化している。長手方向ストラット１１０２は、湾曲した中心領域１１０４と一体化し、又は連結されるように形成されている。湾曲した中心ストラット領域１１０４は、１個の起伏、又は約１〜２０個の範囲の複数の起伏を有していてもよい。図示した実施態様では、合計８個のストラットが存在している。固定機構１０８は、近位端１１０、遠位端１０２、又は両者と一体化して形成されていてもよい。固定機構１０８は、本明細書に図示したような、概して円筒状の薄壁構造のウィンドウ以外の構造を有していてもよい。このような他の固定機構１０８は、突起、縦穴、留め具、着剣装置、摩擦による干渉（ｆｒｉｃｔｉｏｎ  ｉｎｔｅｒｆｅｒｅｎｃｅ）等を有していてもよい。
【００４１】
図２２は、直径方向に膨脹した塞栓インプラント１１５０の側面図を示す。塞栓インプラント１１５０は、更に近位端１１０、遠位端１０２、固定機構１０８、複数の近位の長手方向に方向づけられたストラット又は支柱１１５４、及び遠位の網１１５６、並びにストラット１１５４及び網要素１１５６の間の連結部位１１５２を有する。長手方向ストラット１１５４は、遠位端１１０に連結されているか、一体化している。遠位の網１１５６は、遠位端１０２に連結されているか、一体化している。長手方向ストラット１１５４は、網１１５６とストラット１１５４と溶接、固定又は一体化して形成することのできる、複数の連結部位１１５２で網１１５６及びストラット１１５４に連結されている。網１１５２は、近位端１１０及び遠位端１０２の距離の約１／２を占有するように図示されているが、前記距離の１０％〜９０％の範囲を占有することができる。網１１５６は、図示するように遠位端にあってもよく、又は近位端にあってもよい。
【００４２】
図２３は、固定機構１０８、遠位端１０２、複数の遠位の長手方向に突出したストラット又は棒状物１２０４、複数の溶剤、遠位のストラット１２０４の近位端で連結部位１２１０と連結した、近位の長手方向に突出したストラット又は棒状物１２０８、１２０６、１２０２を有する、膨脹したインプラント１２００の側面図を示す。遠位端の長手方向ストラット１２０４は、近位端のストラット１２０２、１２０６及び１２０８よりも大きいが、それらはおよそ同じ断面であっても、大きさが小さくてもよい。大きい遠位のストラット１２０４は、連結域１２１０で、より小さい近位端のストラット１２０２、１２０６、１２０８と連結しているか、又は一体化している。図示したように、それぞれの大きい遠位のストラット１２０４について、３個の小さい近位のストラット１２０２、１２０６及び１２０８がある。それぞれの遠位ストラット１２０４について、近位端ストラットの数は１〜５個、又はそれ以上である。方向は、より少ない、大きいストラット１２０４が、遠位端に連結している複数の小さいストラットと近位端で連結し、又は一体化されるように反対であってもよい。
【００４３】
図２４は、更に固定機構１０８を有する近位端１１０、遠位端１０２、複数のストラット１２５８を有する近位の丸い突出部１２５２、及び長手方向に配置した複数のストラット１２５８を有する遠位の丸い突出部１２５４を有する、横方向に膨脹した塞栓インプラント１２５０の側面図を示す。近位の丸い突出部１２５２及び遠位の丸い突出部１２５４は、中心の連結部位１２５６で互いに連結している。近位領域の長手方向ストラット１２５２は、遠位領域１２５４で長手方向ストラットと連結しているか、一体化している。近位ストラット１２５２及び遠位ストラット１２５４は、連結部位１２５６又は他の都合のよい場所で互いに連結しているか、一体化している。図示したように、連結部位１２５６は、近位の丸い突出部１２５２又は遠位の丸い突出部１２５４の最大直径よりも直径が小さくなるように構成されている。近位の丸い突出部１２５２の最大直径は、遠位の丸い突出部１２５４の直径よりも大きくてもよく、小さくてもよく、又はほぼ同じであってもよい。近位の丸い突出部１２５２及び遠位の丸い突出部１２５４を有するストラットは同じストラットであってもよい。近位の丸い突出部１２５２及び遠位の丸い突出部１２５４を有するストラットは、それぞれ、近位端１１０及び遠位端１０２と連結しているか、一体化していてもよい。遠位端１０２は、近位端１１０と同様の固定機構１０８を有していてもよい。
【００４４】
図２５は、更に固定機構１０８を有する近位端１１０、遠位端１０２、中央領域で、遠位領域の補足的に複数の細い棒状物又はストラット１３０８に遷移する、複数の近位の長手方向に突出したストラット又は棒状物１３０２を有する、膨脹した塞栓インプラント１３００の側面図を示す。遠位の長手方向で互いに係合するストラット１３０８は、閉じたループ内で葉又は花びらの形状の複数の薄い棒状物１３０４である。花びら１３０４の先端は、三角形の形状に構成され、外側に放射状にわずかに湾曲している。長手方向ストラット１３０２は、近位端１１０に対する横寸法が大きく、遠位端１０２に対する横寸法が小さい。遠位端１０２と連結し、又は一体化している小さいストラット１３０４は、ループ又は花びら形状に形成され、近位端１１０に対し、部分的に軸方向に突出している。小さいストラット１３０４は、インプラントが血管壁、血管壁の血栓、粉瘤等と係合する能力を向上するように、わずかに外側に湾曲した三角形末端形状で形成されている。三角形の先端は、インプラント１３００のおおよその形状を模倣してもよく、又は外側若しくは内側に湾曲していてもよい。また、全体の花びらループ１３０４は、目的とするインプラント部位での安定性を補助するように、外側、内側、インプラント１３００の全体的な外被を超えた突起を有するように構成してもよい。花びらループ１３０４及び遠位の長手方向ストラット１３０８は、近位の長手方向ストラット１３０２よりも小さい断面を有していてもよく、遠位の長手方向ストラット１３０８の断面と同様であってもよい。花びらループ１３０４は、近位の長手方向ストラット１３０２と同じか、大きい断面を有していてもよい。花びらループ１３０４は、遠位端１０２よりも、近位端１１０と連結していてもよい。
【００４５】
図２６は、更に固定機構１０８を有する近位端１０８、遠位端１０２、複数の長手方向に方向づけられたストラット１３５２、及び複数の横方向に突出したストラット１３５４を有する、膨脹した塞栓インプラント１３５０の側面図を示す。軸方向に方向づけられたストラット１３５２は、近位端で近位端１１０と連結していてもよく、又は近位端と一体化して形成してもよい。遠位端で、軸方向に方向づけられたストラット１３５２は、遠位端１０２と連結しているか、又は一体化していてもよい。横方向ストラット１３５４は、軸方向ストラット１３５２と一体化していてもよく、又は留め具、溶接、接着剤等を用いて連結してもよい。横方向ストラット１３５４は、例えば、形状記憶、可鍛性、ばね等の長手方向ストラット１３５２と同様の力学的特性を有していてもよい。横方向ストラット１３５４は、長手方向ストラット１３５２の力学特性とは異なる特性を有していてもよい。横方向ストラット１３５２は、図示するように、直線状であってもよく、又はインプラント１３５０がその放射状に小さい直径につぶれ、又は圧縮されたときに、横方向ストラット１３５２の間の空間の圧縮に適合するように、曲率又は湾曲部を有していてもよい。
【００４６】
長手方向ストラットは、超弾性ニチノールを有していてもよく、横方向ストラット１３５４は、パッケージ化した状態ではマルテンサイト特性が残っているが、室温より高温では超弾性特性に遷移する形状記憶ニチノールを有していてもよい。マルテンサイトからオーステナイトに相転移を起こす代表的な温度は、２２℃〜２５℃の室温から約３７℃の体温までのいずれかの温度を含む。図１３Ｂの説明は、まっすぐに伸びた横方向ストラット１３５２を有するが、例えば、患者に挿入前又は挿入中に、直径方向にくずれた構成でインプラント１３５０と共に、該ストラット１３５２が、屈曲し、又は曲がった形状を有する、インプラント１３５０を示す。横方向ストラット１３５４は、中心に向かって近位端、遠位端の近くにあってもよく（図示したように）、又は複数の横方向ストラット１３５４が１箇所以上の場所で長手方向ストラット１３５２に連結していてもよい。
【００４７】
図２７は、更に固定機構１０８を有する近位端１０８、更に遠位固定機構１４０８を有する遠位端１０２、インプラント１４００の近位端、遠位端で長手方向に方向づけられた複数のストラット１４０２、中央の網１４０４、及び中央の網１４０４がストラット１４０２の末端に連結した複数の連結領域１４０６を有する、膨脹した塞栓インプラント１４００の側面図を示す。長手方向ストラット１４０２は近位端１１０に連結しているが、遠位端の長手方向ストラット１４０２は遠位端１０２に連結している。近位固定機構１４０８は、近位端１１０に連結しているか、一体化しているが、遠位固定機構１４０８は、遠位端１０２に連結しているか、一体化している。近位端１１０及び遠位端１０２は、両方とも中央管腔（図示せず）を有する、中が空洞の軸方向に細長い構造である。近位固定機構１０８、遠位固定機構１４０８、又は両者は、近位端１１０及び遠位端１０２に、それぞれ穿孔を有していてもよい。穿孔は長方形（図示したように）であってもよいが、円形、卵形、三角形、又は送達カテーテルのロックと相互接続するのに適した任意の他の形状であってもよい。固定機構１０８及び１４０８は、更に突起、隆起、ねじ状部分、簡易着脱機構、着剣装置、留め具等を有していてもよい。
【００４８】
図２８は、カテーテルチューブ２０４の遠位端に連結した塞栓インプラント１５００の垂直断面図及び一部破断側面図を示す。塞栓インプラント１５００は、遠位端１２０、及び更に雌ねじ１５１６を有する近位端１５１０を有している。カテーテルチューブ２０４の遠位端は、更に回転連結器１５０４を有し、更にガイドワイヤ係合突起物１５１８、ベアリングフランジ１５０６、一式の雄ねじ１５０２、内部管腔１５１２、及びテーパー注入口１５０８を有している。塞栓インプラント１５００システムは、更に送達シース、導入シース、又はガイドカテーテル２０４と、更に長手方向ねじ溝１５２２を有する展開ガイドワイヤ１５２４と、任意のガイドワイヤ放射線不透過性マーカー１５１４を有している。カテーテルチューブ２０４は、更に回転軸受溝１５２０を有している。インプラント１５００は、複数の長手方向に方向づけられたスラット、棒状物、ランナー等１０４を有している。回転連結器１５０４は、ベアリングフランジ、雄ねじ１５２６、及びガイドワイヤ係合突起物１５１８に連結され、又は一体化されている。回転連結器１５０４の雄ねじ１５０２は、インプラント１５００の相補的な雌ねじ１５１６に係合している。インプラント１５００に対する回転連結器１５０４の回転により、回転の方向に依存し、長手方向係合の増大又は長手方向係合の減少が起こる。
【００４９】
他の実施態様では、回転連結器１５０４は、ねじの代わりに、インプラント１５００の近位端１５１０に円周スロット（図示せず）と係合する先のとがったもの又は突起物（図示せず）を含んでいても良い。先のとがったもの又は突起物（図示せず）は、インプラント１５５０により構成されてもよいが、差し込み溝は、カテーテルシャフト２０４又は回転連結器の遠位端により構成されてもよい。回転連結器システムは、近位端１５０１に代え、インプラント１５００の遠位端１０２により構成されてもよい。
【００５０】
装置は、インプラント１５００の回転を防止するように提供されるが、回転連結器１５０４は、ねじれている。回転防止機構は、限定されないが、その縦軸に関する回転を防止する等のために、インプラント１５００を、穴、溝又は容器と係合しインプラントをロックする近位端から操作可能なインプラント間のフリクションフィット及びガイドカテーテル２０４、別々の安定化リンケージを含む構造及び手段を有する。インプラント１５００は、更に、ガイドカテーテル２０４チューブの遠位端で長手方向スロット（図示せず）を係合する突起物（図示せず）を有していてもよい。突起物は、スロット内で軸方向にスライド移動可能であるが、スロット壁の障害による回転運動に対して拘束される。ガイドカテーテル２０４は突起物を有していてもよいが、インプラント１５００はスロットを有していてもよい。ガイドカテーテル２０４は、内部に突出し、膨脹していないインプラント１５００の長手方向スラット１０４間の空間と係合する内部ランナーを有していてもよい。インプラント１５００は、ガイドカテーテルチューブ２０４に対して軸方向又は長手方向遠位にカテーテルチューブを移動することにより、ガイドカテーテルチューブ２０４を押し出すことができる。
【００５１】
図２９は、遠位端１０２及び近位端１６１０に連結された、複数の軸方向に方向付けられたストラット１０４を有する、塞栓インプラント１６００の一部破断側面図を示す。塞栓インプラント１６００は、更に送達カテーテルチューブ２１０、ガイドカテーテル２０４、更に第一の導線１６０４、第二の導線１６０６、抵抗加熱コイル１６０８及び可溶性リンク１６１２を有する押し出し機１６０２を有している。可溶性リンク１６１２は、押し出し機１６０２の遠位端に連結されているか、又は一体化されている。可溶性リンク１６１２は、はんだ等の低温溶解性金属、又はポリプロピレン、ポリエチレン、ポリエステル等のポリマー材料を有していてもよい。図示したように、可溶性リンク１６１２は、近位端１６１０の領域でインプラント１６００と連結しているが、遠位端１０２でインプラント１６００と連結してもよい。抵抗加熱要素１６０８は、タングステン、ニッケルクロムワイヤ等の材料を含んでいてもよい。抵抗加熱要素１６０８は、図示したように、コイルの形態で、可溶性リンク１６１２を包囲していてもよく、又は可溶性リンク１６１２を溶解するのに十分な熱を伝達するのに十分近くで、長手方向又は任意の他の形態で方向付けられていてもよい。一般的に、抵抗加熱要素１６０８の熱から本体を保護することが有利であり、これは、ガイドカテーテルチューブ２０４及びインプラントの近位端１６１０により提供され、又は構成される絶縁により実施される。押し出し機１６０２は、完全な展開及び解放を確保するために、インプラント１６００をガイドカテーテル２０４から離れて物理的に押し出すために使用することができる。このシステムは、必要であれば、例えば、図４のガイドワイヤ２０６を更に有していてもよい。
【００５２】
油圧式の取り外し可能なリンケージは、送達カテーテルの近位端から遠位端に伸びる流路を有していてもよい。流路は、ピストン、ブラッダー、膨脹可能な部材、又は解放可能に連結されたインプラントを、送達カテーテルの遠位端から解放するための他の構造物と、操作可能に連結されていてもよい。流路は、好ましくは、生理食塩水、放射線不透過性造影剤等の液体で加圧されている。流路と操作可能に連結した送達カテーテルの近位端の加圧ポートに対し、オペレーターが小さいシリンジを用い、手で圧力をかけることにより、１，０００ＰＳＩを超える圧力が発生する。１，０００ＰＳＩに近い、又はそれ以上の圧力は、送達カテーテルの遠位端と連結したインプラントが、切断され、分離され、又は解放されるように摩擦を強制することができる。空間の加圧がインプラントを遠くに移動させ、送達カテーテルから分離するように、流圧をインプラントのすぐ近くの空間に供給することができる。空間は、流路と操作可能に連結されている。
【００５３】
図３０は、遠位端１０２、近位端１７１０、及びピストン１７０２を有する、塞栓インプラント１７００の一部破断断面図を示す。このシステムは、更にガイドカテーテル２０４、及び更に加圧管腔１７０４を有する送達カテーテルシース２１０を有している。インプラント１７００は、完全に膨脹した操作可能な直径まで膨脹し、ピストン１７０２は、まさにインプラント１７００をカテーテル２１０から分離するために遠位に移動し始める。ピストン１７０２は近位端１７１０に連結している。ピストン１７０２は、加圧管腔１７０４内で軸方向に突出しており、そこで長手方向にのみ移動するようにスライド可能に拘束されている。ピストン１７０２は、管腔１７０４内に発生した圧力がピストン１７０２の周囲に漏れないように、カテーテル２１０の壁に対して流体的に密封されている。管腔１７０４の加圧に適した流体としては、限定されないが、水、放射線不透過性媒体、エタノール等が挙げられる。この流体は、流体内に圧力が蓄積し、圧力の解放が患者の器具類を損傷しないように、非圧縮性であることが好ましい。管腔１７０４の加圧に適した圧力は、約１０ＰＳＩ〜約３，０００ＰＳＩの範囲であってもよく、この圧力は全て、携帯型のシリンジで発生させることができる。小さい直径（約０．００５インチ〜約０．０５０インチの範囲であるが、一般的には約０．０１０〜約０．０３０インチの直径であってもよい）の管腔１７０４内での圧力損失を克服するために、より高い圧力が必要となる場合がある。カテーテルチューブ２１０の長さは、一般的には非常に長く、脳血管にアクセスする手段については、約４５ｃｍ〜約２５０ｃｍの範囲、好ましくは約８０ｃｍ〜約１５０ｃｍである。
【００５４】
ピストンは、加圧管腔１７０４が流体により加圧された時に流圧の損失が起こらないように、ベローズ状構造を有していてもよい（図示せず）。ピストン１７０２は、更にピストンがカテーテルチューブ２１０の遠位端から押し出され、又は放出されるときの更なる圧力損失を抑制するために、ピストンリング又はシール（図示せず）を有していてもよい。ピストンは、ラッチ、留め具、解放可能なロック、又はインプラント１７００の一部を保持する他の構造物を作動させることができる。ラッチを作動させることにより、ピストンは、インプラント１７００の近位端１７１０から送達カテーテルチューブ２１０を解放又は外すことができる。インプラント１７００は、更にガイドカテーテル２０４又は他の押し出し機の遠位相対運動により、送達カテーテルチューブ２１０から解放され、又は分離され得る。
【００５５】
油圧式の取り外し可能なリンケージと同様の手段により、真空リンケージを、送達カテーテルの遠位端を真空にし、送達カテーテルに固定されたインプラントを解放可能に保持するために構成された連結機構の大きさを小さくし、突起を少なくするために使用することができる。
【００５６】
図３１は、遠位端１０２、複数のストラット１０４、並びに更に開口部１８０２及び内部管腔１８１２を有するインプラント１８００の一部破断側面図を示す。このシステムは、更に加圧管腔１７０４を有する送達カテーテル２１０、ガイドカテーテル２０４、更にブラッダー内部容積１８０８を有するブラッダー、及びブラッダー結合部１８０６を有している。ブラッダー１８０４は、ブラッダー結合部１８０６により、送達カテーテル２１０の遠位端に連結している。ブラッダー管腔１８０８は、加圧管腔１７０４に操作可能に連結しており、又は流体的に密封されている。ブラッダー１８０４は小さい外形に構成されており、開口部１８０２の直径よりも大きい直径に膨脹し、圧縮されていない状態で、開口部１８０２の直径よりも大きい直径に膨脹するように構成されていてもよい。加圧管腔１７０４により、ブラッダー１８０４を真空にし、又は流体を引き抜くことにより、インプラント１８００が送達カテーテルチューブ２１０から分離されるように、ブラッダー１８０４の横方向又は直径方向の直径を、開口部１８０２の直径よりも小さくすることができる。送達カテーテルチューブ２１０に対してガイドカテーテル２０４を遠くに移動することにより、更なる分離及び展開を起こすことができる。
【００５７】
図１７に記載のシステムにおいて、真空を解除し、又は液体若しくは流体を除去することにより、インプラント１７００からプラグ１７０２を取りすことができ、それにより、インプラント１７００を解放及び展開することができる。
プラグ１７０２は、摩擦適合（ｆｒｉｃｔｉｏｎ  ｆｉｔ）になるか、インプラント１７００の戻り止めにはめ込むことができ、それにより、加圧管腔１７０４にかけられた真空下でプラグ１７０２の再剥離性を可能にする。
【００５８】
機械的押し出し機は、送達カテーテルの近位端で駆動され、軸方向に移動し、送達カテーテルの遠位端からインプラントを解放可能に連結することができる。機械的押し出し機は、レバー又は引き金装置等の機械効率により、直接押し出され、又は軸方向に移動し得る。また、機械的押し出し機は、回転してジャック−スクリュー効果を生じ、それにより、送達カテーテルの遠位端で直線運動を起こし、インプラントを解放又は分離することができる。
【００５９】
カテーテルの遠位端でのインプラントの連結は、送達カテーテルのスタブの全体にしっかりと適合する外部スリーブを有するインプラントと、簡単な摩擦適合を有していてもよい。カテーテルスタブはインプラントのスリーブ内に突出し、例えば、圧入、結合取り付け、戻り止め、突起等によって、そこに保持される。
【００６０】
図３２は、押し出し機１９０２によって、その送達カテーテルチューブ２１０に解放可能に連結されたインプラント１９００の一部破断側面図を示す。インプラント１９００は、遠位端１０２、複数のランナー１０４、更にバンパー１９０６及び係合要素１９０４を有する近位端１９１０を有している。このシステムは、更に１個以上の突起１９１２、１個以上のばね要素１９１４を有する送達カテーテルチューブ２１０、及びガイドカテーテルチューブ２０４を有している。近位端１９１０は、ランナー１０４の近位端に連結した、軸方向に細長い構造で、実質的に空洞である。バンパー、又は縮小した中央開口部１９０６は、近位端１９１０の内部に連結している。１個以上の任意のばね１９１４により外側に偏っている１個以上の係合突起物１９１２は、送達カテーテルチューブ２１０の遠位端に連結している。係合突起物１９１２は、インプラントの近位端１９１０の内部で、くぼみ又は戻り止め１９０４に係合するように構成されている。係合突起物１９１０は、押し出し機１９０２が遠位に移動することにより、バンパー１９０６に対してかかる軸方向の力に打ち勝つことのできる、破壊可能な係合をもたらす。ばね１９１４は任意的であり、同じ機能は、送達カテーテルチューブ２１０内、又は係合突起物１９１２の構造内で弾性的に得ることができる。また、近位端１９１０内部の戻り止め１９０４は、突起物１９１２をつかむように、近位端の穴又は開口部として構成してもよく、のこぎり状又は周囲に溝のついた表面として構成してもよい。
【００６１】
インプラントは、図１６に示すような電気接触を用いて、送達カテーテル２００の近位端から供給される電磁石の使用により作動又は解除し得る磁気的手段によって送達カテーテルに連結してもよい。
【００６２】
脳血管閉塞を意図する場合、インプラント１００の、膨脹していないときの直径又は横方向の寸法は０．０２１インチ（０．５３３４ｍｍ）未満の範囲である。インプラント１００は、膨脹していない状態では、約０．２〜０．３インチの長さを有する。インプラントの壁の厚みは、約０．００１〜０．００５インチの範囲である。脳血管内の神経介入的手順については、膨脹したインプラント１００の直径は、約２ｍｍ〜約６ｍｍの範囲であり、好ましい範囲は約３ｍｍ〜約５ｍｍであるべきである。
【００６３】
インプラント１００は、血栓形成性又は空間充填特性を向上させるために、更にコーティングを有してもよい。このようなコーティングは、使用前にインプラント１００に塗布され、乾燥する、親水性ヒドロゲル又は発泡体を含んでいてもよい。血液又は他の液体に触れると、ヒドロゲル又は発泡体は水を吸収し、容積が膨脹する。このような容積の膨脹により、ヒドロゲル又は発泡体の厚みは１０倍以上に増大する。親水性ヒドロゲルは、フィブリン糊、プロトロンビン、又は他の血液凝固物質、又は血液凝固化合物、ヒドロゲルなしでインプラント１００に塗布できる物質又は材料を含んでいてもよい。装置及び方法の好ましい実施態様を、開発された環境を参照して開示したが、これらは、本発明の原理の単なる説明である。他の種と併用した要素の利点を得るために、種々の実施態様の要素をそれぞれの他の種に導入することができ、種々の長所は、実施態様単独で、又は互いに組み合わせて使用することができる。本発明の精神及び添付の請求項の範囲を逸脱することなく、他の実施態様及び構成を考案することができる。
【図１】
2014523274.tif 000003
【図２】
2014523274.tif 000004
【図３】
2014523274.tif 000005
【図４】
2014523274.tif 000006
【図５】
2014523274.tif 000007
【図６】
2014523274.tif 000008
【図７】
2014523274.tif 000009
【図８】
2014523274.tif 000010
【図９】
2014523274.tif 000011
【図１０】
2014523274.tif 000012
【図１１】
2014523274.tif 000013
【図１２】
2014523274.tif 000014
【図１３】
2014523274.tif 000015
【図１４】
2014523274.tif 000016
【図１５】
2014523274.tif 000017
【図１６】
2014523274.tif 000018
【図１７】
2014523274.tif 000019
【図１８】
2014523274.tif 000020
【図１９】
2014523274.tif 000021
【図２０】
2014523274.tif 000022
【図２１】
2014523274.tif 000023
【図２２】
2014523274.tif 000024
【図２３】
2014523274.tif 000025
【図２４】
2014523274.tif 000026
【図２５】
2014523274.tif 000027
【図２６】
2014523274.tif 000028
【図２７】
2014523274.tif 000029
【図２８】
2014523274.tif 000030
【図２９】
2014523274.tif 000031
【図３０】
2014523274.tif 000032
【図３１】
2014523274.tif 000033
【図３２】
2014523274.tif 000034
【国際調査報告】
2014523274.tif 000035
2014523274.tif 000036
2014523274.tif 000037
2014523274.tif 000038
2014523274.tif 000039
2014523274.tif 000040
2014523274.tif 000041
2014523274.tif 000042